(57)【要約】      （修正有）【課題】漁具が入水しているかを判断する装置及び方法の提供。【解決手段】防水ハウジング２０と、回路基板１０と、静電容量検知モジュール１１と、制御ユニット１２とを備える漁具入水検知装置１であって、静電容量検知モジュール１１及び制御ユニット１２は回路基板１０に設置される。静電容量検知モジュール１１は、静電容量値を検知するように防水ハウジングの内壁面に隣接して設置される。制御ユニット１２は静電容量値を取得し、静電容量値に基づいて、前記装置が入水している場合に制御対象装置を起動するように制御信号を生成する。【選択図】図２
2019193619.tif 000002
【特許請求の範囲】
【請求項１】
防水ハウジングと、回路基板と、静電容量検知モジュールと、制御ユニットとを備える漁具入水検知装置であって、
前記回路基板は、前記防水ハウジング内に設置され、
前記静電容量検知モジュールは、前記回路基板に設置され、静電容量値を検知するように前記防水ハウジングの内壁面に隣接し、
前記制御ユニットは、前記静電容量検知モジュールに電気的に接続され、前記静電容量値を取得し、且つ取得した前記静電容量値に基づいて、前記漁具入水検知装置が入水しているかを判断し、そうである場合は、制御対象装置を起動するように制御信号を生成することを特徴とする、漁具入水検知装置。
【請求項２】
前記静電容量検知モジュールは、静電容量検知部と、前記静電容量検知部に電気的に接続される静電容量検知変換部とを備え、前記静電容量検知部は、前記防水ハウジングの内壁面に隣接し、前記静電容量検知変換部は、前記静電容量検知部によって検知した前記静電容量値を取得することを特徴とする、請求項１に記載の漁具入水検知装置。
【請求項３】
前記静電容量検知部は、前記防水ハウジングの内壁面に接触することを特徴とする、請求項２に記載の漁具入水検知装置。
【請求項４】
前記回路基板は、前記防水ハウジングの内壁面に対して垂直に設置され、または前記防水ハウジングの内壁面に対して水平に設置されることを特徴とする、請求項２に記載の漁具入水検知装置。
【請求項５】
前記制御対象装置は、発光ユニット、モータ、ブザーまたはそれらの任意の組み合わせであることを特徴とする、請求項１に記載の漁具入水検知装置。
【請求項６】
漁具の入水を検知する方法であって、
防水ハウジングを提供するステップと、
静電容量検知モジュールと制御ユニットを備える回路基板を前記防水ハウジング内に設置するステップと、
静電容量値を検知するように、前記静電容量検知モジュールを前記防水ハウジングの内壁面に隣接して設置するステップと、
前記制御ユニットが前記静電容量値を受信し、前記静電容量値に基づいて前記漁具入水検知装置が入水しているかを判断し、そうである場合は、制御対象装置を起動するように制御信号を生成するステップとを含むことを特徴とする、漁具の入水を検知する方法。
【請求項７】
前記静電容量検知モジュールは、静電容量検知部と、前記静電容量検知部に電気的に接続される静電容量検知変換部とを備え、且つ以下のステップをさらに含み：
前記静電容量検知部を前記防水ハウジングの内壁面に隣接して設置するステップと、
前記静電容量検知変換部は、前記静電容量検知部によって検知した前記静電容量値を取得するステップを含むことを特徴とする、請求項６に記載の漁具の入水を検知する方法。
【請求項８】
前記静電容量検知部は、前記防水ハウジングの内壁面に接触することを特徴とする、請求項７に記載の漁具の入水を検知する方法。
【請求項９】
前記回路基板は、前記防水ハウジングの内壁面に対して垂直に設置され、または前記防水ハウジングの内壁面に対して水平に設置されることを特徴とする、請求項７に記載の漁具の入水を検知する方法。
【請求項１０】
前記制御対象装置は、発光ユニット、モータ、ブザーまたはそれらの任意の組み合わせであることを特徴とする、請求項６に記載の漁具の入水を検知する方法。
【発明の詳細な説明】
【技術分野】
【０００１】
本発明は、漁具の技術分野に関わり、具体的には、一種の漁具入水検知装置及び方法に関する。
【背景技術】
【０００２】
静電容量方式のタッチ技術は現在の電子製品または家電製品に広く使用される。静電容量方式のタッチ技術は、人の接触により静電容量センサの静電容量値を変化するものであり、同じの原理を用いて、接近した物質は指であるか、または異なる誘電率を有する他の材料であるかを判断することができる。
【０００３】
図１に示されるように、従来の漁具の入水検知は、２つのプローブＡ、Ｂを介して空気及び水の抵抗を検知し、水の抵抗が小さいという特性に基づいて、漁具が入水しているかを判断する。しかしながら、突出したプローブＡ、Ｂは、漁具の構造を損傷して漁具の防水効果を失う恐れがあり、漁具の表面に水跡があれば、誤判断を招くこともある。
【０００４】
従って、本発明の発明者は、従来技術の欠点を改善し、産業的実施利用を向上させるための漁具入水検知装置及び方法を考案した。
【発明の概要】
【０００５】
上記従来技術の欠点を鑑みて、本発明の目的は、上記従来技術の欠点を改善するための漁具入水検知装置及び方法を提供することである。
【０００６】
上記の目的に基づいて、本発明は、防水ハウジングと、回路基板と、静電容量検知モジュールと、制御ユニットとを備える漁具入水検知装置を提供する。回路基板は、防水ハウジング内に設置される。静電容量検知モジュールは、回路基板に設置され、静電容量値を検知するように防水ハウジングの内壁面に隣接する。制御ユニットは、静電容量検知モジュールに電気的に接続され、静電容量値を取得し、且つ取得した静電容量値に基づいて漁具入水検知装置が入水しているかを判断し、そうである場合は、制御対象装置を起動するように制御信号を生成する。
【０００７】
好ましくは、静電容量検知モジュールは、静電容量検知部と、静電容量検知部に電気的に接続される静電容量検知変換部とを備え、静電容量検知部は、防水ハウジングの内壁面に隣接し、静電容量検知変換部は、静電容量検知部によって検知した静電容量値を取得する。
【０００８】
好ましくは、静電容量検知部は、防水ハウジングの内壁面に接触する。
【０００９】
好ましくは、回路基板は、防水ハウジングの内壁面に対して垂直に設置され、または防水ハウジングの内壁面に対して水平に設置される。
【００１０】
好ましくは、制御対象装置は、発光ユニット、モータ、ブザーまたはそれらの任意の組み合わせである。
【００１１】
上記の目的に基づいて、本発明は、漁具の入水を検知する方法をさらに提供する。前記方法は、防水ハウジングを提供するステップと、静電容量検知モジュールと制御ユニットを備える回路基板を防水ハウジング内に設置するステップと、静電容量値を検知するように、静電容量検知モジュールを防水ハウジングの内壁面に隣接して設置するステップと、制御ユニットが静電容量値を受信し、静電容量値に基づいて漁具入水検知装置が入水しているかを判断し、そうである場合は、制御対象装置を起動するように制御信号を生成するステップとを含む。
【００１２】
好ましくは、静電容量検知モジュールは、静電容量検知部と、静電容量検知部に電気的に接続される静電容量検知変換部とを備え、且つ以下のステップをさらに含み：静電容量検知部を防水ハウジングの内壁面に隣接して設置するステップと、静電容量検知変換部は、静電容量検知部によって検知した静電容量値を取得するステップを含む。
【００１３】
好ましくは、静電容量検知部は、防水ハウジングの内壁面に接触する。
【００１４】
好ましくは、防水ハウジングの内壁面に対して垂直に設置され、または防水ハウジングの内壁面に対して水平に設置される。
【００１５】
好ましくは、制御対象装置は、発光ユニット、モータ、ブザーまたはそれらの任意の組み合わせである。
【００１６】
要するに、本発明の漁具入水検知装置は、漁具の防水構造を維持することができ、且つ構造内に設置されるセンサにより、漁具が入水しているかどうかを検知して明確に判断することができる。
【００１７】
当業者が本発明の目的、技術特徴及び利点を容易に理解するように、以下は添付の図面を参照しながら、本発明の具体的な実施形態によって本発明の詳細な特徴を説明する。
【図面の簡単な説明】
【００１８】
【図１】図１は従来技術の概略図。
【図２】図２は本発明の漁具入水検知装置のブロック図。
【図３】図３は本発明の漁具入水検知装置の概略図。
【図４】図４は本発明の漁具入水検知装置の第一実施例の第一概略図。
【図５】図５は本発明の漁具入水検知装置の第一実施例の第二概略図。
【図６】図６は本発明の漁具入水検知装置の第二実施例の概略図。
【図７】図７は本発明の漁具入水検知装置の第三実施例の概略図。
【発明を実施するための形態】
【００１９】
本発明をより完全に理解するために、本発明の技術特徴、内容と長所及びそれが達成できる作用効果について、添付図面を参照して、実施例の表現形式で以下のように詳細に説明する。但し、図示された図面は、単に例示または明細書内容を補助することを目的としたものであって、本発明の実施後の原寸に比例したものや精確に配置したものには何ら拘束されない。よって、図示された図面は、添付図面の比例と配置関係で解釈されてはならず、本発明を実際に実施する権利範囲に制限することを意図したものではないことについて先に説明しておきたい。
【００２０】
以下は添付図面及び説明により、本発明の漁具入水検知装置及び方法を説明し、より理解しやすくするために、以下の実施例の同じ要素は同じ符号で表示する。
【００２１】
本発明は、一種の漁具入水検知装置及び方法に関わり、具体的には、水面下漁具に内蔵する静電容量検知回路（Ｃａｐａｃｉｔｉｖｅ  ｓｅｎｓｉｎｇ  Ｃｉｒｃｕｉｔ）を介して、漁具内部の回路が完全な防水保護の下で漁具が入水しているかを検知し、且ついくつかの機能の起動または停止を制御することができる。
【００２２】
図２を参照する。図２は、本発明の漁具入水検知装置のブロック図である。
【００２３】
図面に示されるように、本発明の漁具入水検知装置１は、回路基板１０と、静電容量検知モジュール１１と、制御ユニット１２と、防水ハウジング２０とを備える。回路基板１０は、防水ハウジング２０内に設置される。静電容量検知モジュール１１と制御ユニット１２は回路基板１０上に設置される。そのうち、静電容量検知モジュール１１は、静電容量値１１２１を検知するように防水ハウジング２０の内壁面に隣接する。制御ユニット１２は、静電容量検知モジュール１１に電気的に接続し、静電容量値１１２１を取得し、且つ取得した静電容量値１１２１に基づいて漁具入水検知装置が入水しているかを判断し、そうである場合は、制御対象装置９を起動するように制御信号１２１を生成する。そのうち、制御対象装置９は、発光ユニット、モータ、ブザーまたはそれらの任意の組み合わせであることができる。
【００２４】
上記した装置が入水しているかを判断することについて、例えば、漁具入水検知装置１が水中集魚灯またはルアーである場合、漁具入水検知装置１が水中にいるかを判断することである。漁具入水検知装置１は水中集魚灯である場合、漁具入水検知装置１が水中にいると判断された場合、制御ユニット１２は制御対象装置９（発光ユニット）を制御して発光する。また、漁具入水検知装置１はルアーである場合、漁具入水検知装置１が水中にいると判断された場合、制御ユニット１２は制御対象装置９（モータまたはブザー）を制御して起動する。当然、漁具入水検知装置１が水中にいないと判断された場合、制御ユニット１２は制御対象装置９を制御して停止する。
【００２５】
また、漁具入水検知装置１は、漁具に設置または接続される装置であってもよく、漁具とともに入水することができる。この時、制御ユニット１２は、使用者に漁具がすでに入水したことを通知するように、無線送信機などの制御対象装置９を制御することができる。そのうち、制御ユニット１２と制御対象装置９との間の接続は、有線接続または無線接続であることができ、実際の需要によって調整することができる。
【００２６】
さらに、静電容量検知モジュール１１は、静電容量検知部１１１及び静電容量検知部１１１に電気的に接続する静電容量検知変換部１１２を備える。静電容量検知部１１１は、防水ハウジング２０の内壁面に隣接する。好ましくは、静電容量検知部１１１は、防水ハウジング２０の内壁面に接触または付着することができる。静電容量検知変換部１１２は、静電容量検知部１１１によって検知した静電容量値１１２１を取得することができる。そして、制御ユニット１２は静電容量値１１２１に基づいて、漁具入水検知装置１が水中にいるかを計算且つ判断することができる。
【００２７】
また、漁具入水検知装置１は、電池ユニット３０を備えることができ、その電池ユニット３０は、一次電池または二次電池であることができる。その電池ユニット３０は、漁具入水検知装置１、または制御対象装置９に作動必要な電力を供給することができる。
【００２８】
図３を参照し、且つ下記の式を参照する：
【００２９】
【数１】
2019193619.tif 000003
【００３０】
そのうち、Ｃｓは静電容量値、εは誘電率、Ａは面積、ｄは距離である。
【００３１】
そのうち、空気の誘電率εは１．０００５３であり、水の誘電率は７８．５であり、静電容量検知モジュール１１と外部の距離ｄとその面積Ａは一定である。よって、漁具入水検知装置１は静電容量値１１２１によって漁具が水中にいるかどうかを判断することができる。
【００３２】
従来技術と比較して、本発明の漁具入水検知装置１は漁具の防水構造を維持することができ、防水構造に内蔵される静電容量検知モジュール１１を介して、制御ユニット１２が静電容量値１１２１を計算比較することにより、漁具が水中にいるかを明確に判断することができる。よって、本発明の漁具入水検知装置１は、腐食により防水構造が損傷されにくくなり、そして装置の表面にある水跡の影響で誤判断することもない。
【００３３】
図４及び図５を参照し、図４及び図５は本発明の漁具入水検知装置の第一実施例の第一概略図及び第二概略図である。
【００３４】
図面に示されるように、本実施例において、漁具入水検知装置１は水中集魚灯として例示する。そのうち、防水ハウジング２０は、お互いに組み合わせることができる第一ハウジング２１及び第二ハウジング２２を備えることができる。第一ハウジング２１と第二ハウジング２２は、ロック、接着、または超音波溶接などの方式によって組み合わせることができる。水が防水ハウジング２０内に浸水しないように、第一ハウジング２１と第二ハウジング２２との間に防水ガスケットを設置することができる。また、第一ハウジング２１と第二ハウジング２２との組み合わせ方法及び防水などの技術手段は当分野に知られているため、ここで繰り返さない。
【００３５】
また、図５に示されるように、回路基板１０は、プリント基板またはフレキシブルプリント基板であることができる。静電容量検知部１１１は、エッチングまたは他の方法によって回路基板１０上に形成することができ、且つ静電容量変換部１１２に電気的に接続する。
【００３６】
全体的に見ると、静電容量検知モジュール１１及び制御ユニット１２を備える回路基板１０は、水中漁具の防水ハウジング２０内に設置することができる。そして、静電容量検知部１１１は防水ハウジング２０の内壁面に隣接して設置される。そのうち、静電容量検知モジュール１１及び制御ユニット１２を備える回路基板１０は、静電容量値１１２１を有効に検知するように、防水ハウジング２０の内壁面に対して垂直に設置されることができる。従って、漁具入水検知装置１が水中にいる場合、制御ユニット１２は制御対象装置９（発光ユニット）を制御して発光されることができ、水中集魚灯が魚を引き付ける目的を達成することができる。
【００３７】
図６を参照し、図６は本発明の漁具入水検知装置の第二実施例の概略図である。
【００３８】
図面に示されるように、本実施例において、漁具入水検知装置１はルアーとして例示する。そのうち、防水ハウジング２０は、お互いに組み合わせることができる第一ハウジング２１及び第二ハウジング２２を備えることができる。そのうち、第一ハウジング２１と第二ハウジング２２はロック、係止、接着、または超音波溶接などの方式によって組み合わせることができる。水が防水ハウジング２０内に浸水しないように、第一ハウジング２１と第二ハウジング２２との間に防水ガスケットを設置することができる。
【００３９】
全体的に見ると、静電容量検知モジュール１１及び制御ユニット１２を備える回路基板１０は、水中漁具の防水ハウジング２０内に設置することができる。そして、静電容量検知部１１１は防水ハウジング２０の内壁面に隣接して設置される。そのうち、静電容量検知モジュール１１及び制御ユニット１２を備える回路基板１０は、静電容量値１１２１を有効に検知するように、防水ハウジング２０の内壁面に対して垂直に設置されることができる。従って、漁具入水検知装置１が水中にいる場合、制御ユニット１２は制御対象装置９（モータまたはブザー）を制御して起動することができる。
【００４０】
図７を参照し、図７は本発明の漁具入水検知装置の第三実施例の概略図である。
【００４１】
図面に示されるように、本実施例において、漁具入水検知装置１はルアーとして例示する。同じく、防水ハウジング２０は、お互いに組み合わせることができる第一ハウジング２１及び第二ハウジング２２を備えることができる。そのうち、第一ハウジング２１と第二ハウジング２２は、ロック、接着、または超音波溶接などの方式によって組み合わせることができる。水が防水ハウジング２０内に浸水しないように、第一ハウジング２１と第二ハウジング２２との間に防水ガスケットを設置することができる。
【００４２】
全体的に見ると、静電容量検知モジュール１１及び制御ユニット１２を備える回路基板１０は、水中漁具の防水ハウジング２０内に設置することができる。そして、静電容量検知部１１１は防水ハウジング２０の内壁面に隣接して設置される。そのうち、静電容量検知モジュール１１及び制御ユニット１２を備える回路基板１０は、静電容量値１１２１を有効に検知するように、防水ハウジング２０の内壁面に対して平行に設置されることができる。従って、漁具入水検知装置１が水中にいる場合、制御ユニット１２は制御対象装置９（モータまたはブザー）を制御して起動することができる。
【００４３】
また、前記の第二、第三実施例において、静電容量検知モジュール１１及び制御ユニット１２を備える回路基板１０及び電池ユニット３０は、防水ハウジング２０の適切な構造または接着によって防水ハウジング２０の内部に固定することができる。また、その適切な構造または接着方式は、当業者にとって周知な技術手段であるため、ここで繰り返さない。
【００４４】
さらに、本発明の主な特徴について、静電容量検知モジュール１１が防水ハウジング２０の内壁面に隣接するだけで良い。静電容量検知モジュール１１と防水ハウジング２０の内壁面に垂直、平行または斜めに設置されることにかかわらず、防水ハウジング２０と接触、またはお互いに距離を持っても、静電容量検知部１１１は静電容量値を検知することができ、且つ水と空気の差別を判断することができる。よって、本発明は上記の実施例に制限されるものではない。
【００４５】
本発明は、一種の漁具の入水を検知する方法をさらに提供する。その方法は、防水ハウジングを提供するステップ（Ｓ１１）と、静電容量検知モジュールと制御ユニットを備える回路基板を防水ハウジング内に設置するステップ（Ｓ１２）と、静電容量値を検知するように、静電容量検知モジュールを防水ハウジングの内壁面に隣接して設置するステップ（Ｓ１３）と、制御ユニットが静電容量値を受信し、静電容量値に基づいて漁具が入水しているかを判断し（Ｓ１４）、そうである場合は、制御対象装置を起動するように制御信号を生成するステップ（Ｓ１５）とを含む。
【００４６】
漁具入水検知方法についての詳細の説明は、上記の漁具入水検知装置に対応しているものであるため、ここで繰り返さない。
【００４７】
上記説明は本発明の範囲を限定するためのものではなく、例示的な実施例である。本発明の範囲及び趣旨を逸脱することなく均等範囲内における変更及び修正は、いずれも添付の特許請求の範囲で扱うものとする。
【符号の説明】
【００４８】
１：漁具入水検知装置
１０：回路基板
１１：静電容量検知モジュール
１１１：静電容量検知部
１１２：静電容量検知変換部
１１２１：静電容量値
１２：制御ユニット
１２１：制御信号
２０：防水ハウジング
２１：第一ハウジング
２２：第二ハウジング
３０：電池ユニット
９：制御対象装置
Ａ、Ｂ：プローブ
【図１】
2019193619.tif 000004
【図２】
2019193619.tif 000005
【図３】
2019193619.tif 000006
【図４】
2019193619.tif 000007
【図５】
2019193619.tif 000008
【図６】
2019193619.tif 000009
【図７】
2019193619.tif 000010
【外国語明細書】
2019193619000001.pdf
2019193619000002.pdf
2019193619000003.pdf
2019193619000004.pdf